(57)【要約】      （修正有）【課題】くくり罠のセット作業中に作動部材の反支軸側が不用意に上動してしまうことを回避するくくり罠を提供する。【解決手段】踏板２に支軸８を介して回動自在に支持された一対の作動部材３の外周に、弾機により締め込み側に付勢されたくくり輪４を懸回し、作動部材３の反支軸側が上動することでくくり輪４が作動部材３から外れて締め込まれるように構成されたくくり罠において、くくり輪４が一対の作動部材３の外周に懸回された状態で、作動部材３を回動自在に支持する支軸８の軸心位置Ｏが、くくり輪４の作動部材３の反支軸側端部同士を連結する仮想線Ｌよりも上方に位置するように設定することで、くくり輪４を締め込み側に付勢する弾機の付勢力が、作動部材３の反支軸側を下動させる力として作用するようにした。【選択図】図４
0003233888.tif 000002
【実用新案登録請求の範囲】
【請求項１】
踏板と、該踏板の上面に開口側が互いに対向する状態で配され、該開口側端部が踏板にそれぞれ支軸を介して回動自在に支持されるとともに反支軸側が踏板の外縁から外方に突出する一対のＵ字状の作動部材と、踏板を上下動自在に内嵌するとともに、前記踏板から外方に突出する作動部材の反支軸側を下側から受ける受部を有する枠体と、前記一対の作動部材の外周にリング状に懸回され、弾機により締め込み側に付勢されたくくり輪とを備え、踏板が枠体内を下動することで作動部材の反支軸側が受部により押されて上動し、これに伴いくくり輪が作動部材から外れて締め込まれるように構成されたくくり罠において、
前記くくり輪が一対の作動部材の外周に懸回された状態で、作動部材の開口側端部を回動自在に支持する支軸の軸心位置が、くくり輪の作動部材反支軸側端部同士を連結する仮想線よりも上方に位置するように設定したことを特徴とするくくり罠。
【請求項２】
作動部材を反支軸側が上動する方向に付勢するばねを設けるとともに、くくり輪が一対の作動部材の外周に懸回された状態で、上記ばねの付勢力は、くくり輪を締め込み側に付勢する弾機が一対の作動部材を反支軸側下動方向に付勢する付勢力よりも小さく設定されることを特徴とする請求項１記載のくくり罠。
【請求項３】
作動部材を反支軸側が上動する方向に付勢するばねは、コイル部が作動部材を回動自在に支持する支軸に外嵌されるトーションばねであって、該トーションばねは、先端に係止部が形成された足部をコイル部の両側に有し、一方の足部先端は作動部材に係止され、他方の足部先端は支軸を踏板に取付けるための取付金具に係止されることを特徴とする請求項２記載のくくり罠。
【考案の詳細な説明】
【技術分野】
【０００１】
本考案は、猪、鹿、キョン等の野生動物を捕獲するため用いられるくくり罠の技術分野に関するものである。
【背景技術】
【０００２】
今日、猪、鹿、キョン等の野生動物（害獣）が出没して田畑や山林等を荒らす被害が各地で頻発しており、その対策として、これら野生動物を捕獲することが試みられているが、この種の動物を捕獲するための道具としてくくり罠（括り罠）が簡便で安価なものとして広く採用されている。
このようなくくり罠は、一般的には、長尺状のワイヤの先端部に、締め込み可能にしたくくり輪を一連状に設け、該くくり輪に動物の足が侵入した（入り込んだ）ことに感応してくくり輪を弾機付勢力を受けて締め込み作動させることで足をくくって逃走できないようにし、これによって動物を捕獲できる構成にしている。
この様なくくり罠の構造として、従来、踏板と、踏板に回動自在に取り付けられ、踏板の外縁から外方に突出する延在部を備えたＵ字状の一対の作動部材と、該一対の作動部材を横倒姿勢から起立姿勢に付勢するばねと、該ばねの付勢力に抗して作動部材を横倒姿勢に保持する保持部材とを設け、一対の作動部材の外周にくくり輪をリング状に懸回するとともに、上記保持部材を、所定の閾値より小さい荷重が加わると作動部材の保持を継続するが、所定の閾値以上の荷重が加わると保持部材が破損して作動部材の保持を解除するように構成されたものが知られている（例えば、特許文献１参照。）等が知られている。
【先行技術文献】
【特許文献】
【０００３】
【特許文献１】実用新案登録第３１７７３９９号公報
【考案の概要】
【考案が解決しようとする課題】
【０００４】
前記従来のものは、一対の横倒姿勢の作動部材の外周にくくり輪を懸回した状態で、一対の作動部材を踏み板に回動自在に支持する支持ピンの軸心位置が、くくり輪の延在部外側端同士を連結する仮想線上に位置するように構成されており（特許文献1の図４参照）、これにより、作動部材の外周にくくり輪を懸回した状態では、くくり輪を締め込む弾機の付勢力が、作動部材を横倒姿勢側に回動させる力としても起立姿勢側に回動させる力としても作用しないようになっている。しかしながら、このような構成では、作動部材が僅かでも起立姿勢側に動いてしまうと、くくり輪を締め込む弾機の付勢力が作動部材を起立姿勢側に付勢する力として作用してしまうことになる。このため、くくり罠のセット作業中に、作動部材に触れたりして作動部材が少しでも起立姿勢側に動くと、作動部材を横倒姿勢に保持する保持部材の保持力よりも、締め込み弾機の付勢力と作動部材を起立姿勢側に付勢するばねの付勢力との合計付勢力が大きくなって保持部材の保持が解除されてしまうことになり、このためセット作業に過度の注意深さを必要とするという問題があって、ここに本考案の解決すべき課題がある。
【課題を解決するための手段】
【０００５】
本考案は、上記の如き実情に鑑みこれらの課題を解決することを目的として創作されたものであって、請求項１の考案は、踏板と、該踏板の上面に開口側が互いに対向する状態で配され、該開口側端部が踏板にそれぞれ支軸を介して回動自在に支持されるとともに反支軸側が踏板の外縁から外方に突出する一対のＵ字状の作動部材と、踏板を上下動自在に内嵌するとともに、前記踏板から外方に突出する作動部材の反支軸側を下側から受ける受部を有する枠体と、前記一対の作動部材の外周にリング状に懸回され、弾機により締め込み側に付勢されたくくり輪とを備え、踏板が枠体内を下動することで作動部材の反支軸側が受部により押されて上動し、これに伴いくくり輪が作動部材から外れて締め込まれるように構成されたくくり罠において、前記くくり輪が一対の作動部材の外周に懸回された状態で、作動部材の開口側端部を回動自在に支持する支軸の軸心位置が、くくり輪の作動部材反支軸側端部同士を連結する仮想線よりも上方に位置するように設定したことを特徴とするくくり罠である。
請求項２の考案は、作動部材を反支軸側が上動する方向に付勢するばねを設けるとともに、くくり輪が一対の作動部材の外周に懸回された状態で、上記ばねの付勢力は、くくり輪を締め込み側に付勢する弾機が一対の作動部材を反支軸側下動方向に付勢する付勢力よりも小さく設定されることを特徴とする請求項１記載のくくり罠である。
請求項３の考案は、作動部材を反支軸側が上動する方向に付勢するばねは、コイル部が作動部材を回動自在に支持する支軸に外嵌されるトーションばねであって、該トーションばねは、先端に係止部が形成された足部をコイル部の両側に有し、一方の足部先端は作動部材に係止され、他方の足部先端は支軸を踏板に取付けるための取付金具に係止されることを特徴とする請求項２記載のくくり罠である。
【考案の効果】
【０００６】
請求項１の考案とすることにより、くくり輪を締め込む弾機の付勢力が、作動部材の反支軸側を下動させる力として作用することになって、くくり罠を捕獲現場にセットする作業中等に、作動部材の反支軸側が不用意に上動してくくり輪が締め込まれてしまう不具合を回避できる。
請求項２の考案とすることにより、作動部材を反支軸側上動方向に付勢するばねが設けられていても、くくり輪を締め込み側に付勢する弾機の付勢力によって、作動部材を反支軸側が下動している状態に保持できることになる。
請求項３の考案とすることにより、作動部材を反支軸側上動方向に付勢するばねを、必要に応じて簡単に着脱できる。
【図面の簡単な説明】
【０００７】
【図１】くくり罠の全体概略図である。
【図２】くくり罠の要部斜視図である。
【図３】くくり罠の要部平面図である。
【図４】（Ａ）、（Ｂ）はくくり罠の要部側面図、要部断面図である。
【図５】（Ａ）は枠体の斜視図、（Ｂ）は支軸およびばねを示す図である。
【図６】（Ａ）、（Ｂ）はくくり罠の作動を示す図である。
【図７】（Ａ）は安全装置の側面図、（Ｂ）は安全装置を踏板に取り付けた状態を示す斜視図である。
【考案を実施するための形態】
【０００８】
以下、本考案の実施の形態について、図面に基づいて説明する。図面において、１は猪、鹿、キョン等の動物（害獣）を捕獲するためのくくり罠であって、該くくり罠１は、踏板２、該踏板２の上面に回動自在に支持される一対のＵ字状の作動部材３、これら作動部材３の外周にリング状に懸回される締め込み可能なくくり輪４、該くくり輪４を締め込み側に付勢する弾機５、踏板２を上下動自在に内嵌する枠体６等を備えて構成されており、そして、後述するように、踏板２の下動に基づいてくくり輪４が作動部材３から外れ、該作動部材３から外れたくくり輪４が弾機５の付勢力を受けて締め込まれることで、前記踏板２を踏み込んだ動物の足をくくって捕獲するように構成されている。
【０００９】
前記踏板２は、本実施の形態では矩形板状のものであって、該踏板２の上面には、前述したように一対のＵ字状の作動部材３が回動自在に支持されるが、この場合に、一対のＵ字状の作動部材３は、開口側が互いに対向するように配されるとともに、該対向する開口側端部３ａが、踏板２の上面に固定された取付金具７に支軸８を介してそれぞれ回動自在に支持されている。そして、該支軸８に支持された状態で、作動部材３の開口側端部３ａは、踏板２の上面から浮いた状態となるように設定されているとともに、支軸８を支点とする作動部材３の反支軸側の下動は、該作動部材３の反支軸側が踏板２の上面に当接することで規制されるように構成されている。しかして、作動部材３の反支軸側が踏板２の上面に当接している状態が、作動部材３の反支軸側が最も下動している状態となるが、この状態で作動部材３の反支軸側の円弧状中央部３ｂが踏板２の外縁から外方に突出するように設計されているとともに、作動部材３の外周面部には、くくり輪４が係脱自在に係止する係止溝３ｃが形成されている。
【００１０】
一方、前記くくり輪４は、ワイヤ１０に連続するようにして設けられていてワイヤ１０を引き込むことで締め込み可能なものであって、弾機５によって締め込み側に付勢されている。そして、該くくり輪４は、前記係止溝３ｃに係止する状態で一対の作動部材３の外周にリング状に懸回されるが、該くくり輪４が懸回された状態で、作動部材３の開口側端部３ａを回動自在に支持する支軸８の軸心位置Ｏは、くくり輪４の作動部材３反支軸側端部同士を連結する仮想線Ｌよりも上方に位置するように設定されている。これにより、くくり輪４を締め込む弾機５の付勢力が、作動部材３の反支軸側を下動させる力として作用して、作動部材３を反支軸側が最も下動した状態（作動部材３の反支軸側が踏板２の上面に当接している状態）に保持するようになっている。
【００１１】
また、前記枠体６は、その内径が前記踏板２の外径よりも少し大きく設定された矩形枠状のものであって、踏板２が上下動自在に内嵌されるとともに、該枠体６の外面部には、前記踏板２の外縁から外方に突出する作動部材３の反支軸側の円弧状中央部３ｂを下側から受ける一対の受部６ａが一体形成されている。そして、踏板２は、くくり輪４が作動部材３の外周に懸回された状態で、作動部材３の円弧状中央部３ｂが枠体６の受部６ａに下側から支持されることにより枠体６に下動可能にセットされるようになっているとともに、該踏板２は、動物の足が踏み込まれた負荷を受けることで枠体６内を下動し、これに伴い作動部材３の円弧状中央部３ｂが受部６ａにより押されて上動することで、くくり輪４が作動部材３から外れて締め込まれるようになっている。この場合に、くくり輪４を締め込み側に付勢する弾機５の付勢力は、作動部材３の開口側端部３ａを回動自在に支持する支軸８の軸心位置Ｏがくくり輪４の作動部材３反支軸側端部同士を連結する仮想線Ｌよりも上方に位置している状態では、作動部材３の反支軸側を下動させる力として作用するが、軸心位置Ｏが仮想線Ｌ上に位置する支点超えをした以降は、作動部材３の反支軸側を上動させる力として作用するようになっている。
【００１２】
ここで、前記支軸８が支持される取付金具７は、踏板２の上面に固定される固定片７ａと、該固定片７ａから立設される取付片７ｂとからなるＬ字型のものであって、取付片７ｂには支軸８が貫通する貫通孔７ｃが穿設されている。一方、支軸８は、本実施の形態では、作動部材３の開口側端部３ａおよび取付片７ｂの貫通孔７ｃを貫通するネジを用いて構成されており、該支軸（ネジ）８のネジ頭と支軸８に螺合されるナット８ａとの間に作動部材開口側端部３ａおよび取付片７ｂが挟まれることになるが、この場合に、ナット８ａの締め込み量によって、前述した作動部材３の反支軸側が上動する感度を調整できるようになっている。尚、本実施の形態では、上記ナット８ａは緩み防止機能付きのナットが用いられている。
【００１３】
さらに、前記支軸８には、必要に応じて、作動部材３を反支軸側上動方向に付勢するばね１１が装着される。該ばね１１は、本実施の形態ではステンレス製のトーションばねであって、コイル部１１ａと、該コイル部１１ａの両側から延びる足部１１ｂとを有しているとともに、これら足部１１ｂの先端には、Ｌ字形状に折曲された係止部１１ｃが形成されている。そして、ばね１１は、コイル部１１ａを支軸８に外嵌した状態で、一方の足部１１ｂ先端の係止部１１ｃを作動部材３の開口側端部３ａに係止するともに他方の足部１１ｂ先端の係止部１１ｃを取付金具７の取付片７ｂに係止し、さらに支軸８にナット８ａを螺合することで、支軸８に簡単に着脱自在に装着されるようになっている。このばね１１は、作動部材３を反支軸側上動方向に付勢することによって、作動部材３の反支軸側上動の動作スピードを向上させるためのものであるが、該ばね１１の付勢力は、くくり輪４が作動部材３の外周に懸回された状態で、くくり輪４を締め込み側に付勢する弾機５が作動部材３を反支軸側下動方向に付勢する付勢力よりも小さく設定されている。しかして、作動部材３を反支軸側上動側に付勢するばね１１が設けられていても、くくり輪４が作動部材３の外周に懸回された状態では、くくり輪４を締め込み側に付勢する弾機５の付勢力によって、作動部材３は反支軸側が踏板２の上面に当接する状態（作動部材３の円弧状中央部３ｂが最も下動した状態）に保持されるように構成されている。尚、くくり輪４が作動部材３の外周に懸回されているとともに、弾機５の付勢力によって作動部材３の反支軸側が踏板２の上面に当接している状態を、以降、作動部材３の作動待機状態と称する。
【００１４】
また、１２は必要に応じて設けられる調整部材であって、該調整部材１２は、枠体６の四隅部近傍に設けられた支持孔６ｂに貫通状に差し込まれる棒状のものであり、例えば爪楊枝のように、ある程度の力が作用すると破断する材質のものを用いて形成されている。そして、該調整部材１２は、踏板２を枠体６にセットした状態で、該踏板２を下方から支持するとともに、動物の足が踏み込まれた負荷を踏板２を介して受けて破断することで、踏板２の下動感度の調整をするようになっている。しかして、捕獲したい動物の種類等によって必要に応じて調整部材１２を設けることによって、踏板２の下動感度を調整できるようになっている。さらに、調整部材１２自体の強度の変更、および／または支持孔６ｂに支持される調整部材１２の本数の変更により破断強度の調整ができ、これにより、踏板２の下動感度を細かく調整できるようになっている。
【００１５】
一方、前記くくり輪４を締め込むための弾機５は、本実施の形態ではワイヤ１０に遊嵌状に外嵌するコイル弾機であって、該弾機５の先端部（くくり輪４側）および基端部（反くくり輪４側）は、ワイヤ１０の先端側、基端側に移動自在に外嵌された先端側弾機支持部材１３、基端側弾機支持部材１４によってそれぞれ支持されるように構成されている。さらに、基端側弾機支持部材１４の基端側には、基端側弾機支持部材１４の基端側への移動を規制するストッパ１５がワイヤ１０に位置調整自在に止着されており、該ストッパ１５の止着位置を調整することで基端側弾機支持部材１４の位置調整を行えるようになっているとともに、該基端側弾機支持部材１４の位置調整を行うことでくくり輪４の締め付け力を調整できるようになっている。さらに、前記ワイヤ１０のストッパ１５止着部位よりも基端側には、ヨリモドシ１６を介して保留用ワイヤ１７が接続されている。該保留用ワイヤ１７の基端側には通し輪１７ａが形成されており、該通し輪１７ａを、シャックル等の連結金具１８を介して保留用ワイヤ１７の中間部に移動自在に連結することで、木や杭等の固定物に掛け回されるループ１７ｂを形成することができるようになっている。
【００１６】
さらに、２０は安全装置であって、該安全装置２０は、踏板２の上方を横断し、前記作動待機状態の作動部材３を上方から押さえる押さえ部材２０ａと、該押さえ部材２０ａを踏板２に着脱自在に取付けるためのネジ部材２０ｂとを用いて構成されている。そして、くくり罠１を捕獲現場にセットする場合には、前記安全装置２０を踏板２に取付けた状態で、基端側弾機支持部材１４の位置調整による弾機５の締め付け力の調整作業や、捕獲現場で掘った穴に設置した枠体６に踏板２をセットする作業を行うことで、これらの作業中に作動待機状態の作動部材３が作動してしまうことを確実に防止できることになる。そして、これらの作業が終了してから安全装置２０を取り外し、その後に踏板２に土を被せるが、この場合に、前述したように、作動待機状態の作動部材３は弾機５の付勢力によって反支軸側が下動する方向に付勢されているため、不用意に作動部材３の反支軸側が上動してくくり輪４が締め込まれてしまうことを回避できることになる。
ここで、前記安全装置２０のネジ部材２０ｂは、押さえ部材２０ａおよび踏板２を貫通するネジ２０ｃと、該ネジ２０ｃを押さえ部材２０ａに固定する第一ナット２０ｄと、該第一ナット２０ｄにより押さえ部材２０ａに固定されたネジ２０ｃを踏板２に取り付けるための第二ナット２０ｅとを用いて構成されている。一方、踏板２の中央部には、前記ネジ２０ｃが貫通する貫通孔２ａが穿設されており、該貫通孔２ａの径は第二ナット２０ｅよりも小径に設定されているとともに、該貫通孔２ａと連通する状態で第二ナット２０ｅよりも大径の大径孔部２ｂが形成されている。これにより、ネジ２０ｃを貫通孔２ａから大径孔部２ｂへ移動させることで、第二ナット２０ｅをネジ２０ｃに止着したまま状態で、安全装置２０を踏板２に簡単に着脱できるようになっている。
【００１７】
叙述の如く構成された本考案の実施の形態において、くくり罠１は、踏板２と、該踏板２の上面に開口側が互いに対向する状態で配され、開口側端部３ａが踏板２にそれぞれ支軸８を介して回動自在に支持されるとともに反支軸側が踏板２の外縁から外方に突出する一対のＵ字状の作動部材３と、踏板２を上下動自在に内嵌するとともに、踏板２から外方に突出する作動部材３の反支軸側を下側から受ける受部６ａを有する枠体６と、一対の作動部材３の外周にリング状に懸回され、弾機５により締め込み側に付勢されたくくり輪４とを備えて構成されており、そして、動物に踏み込まれた踏板２が枠体６内を下動することで作動部材３の反支軸側が受部６ａにより押されて上動し、これに伴いくくり輪４が作動部材３から外れて締め込まれることで、踏板２を踏み込んだ動物の足をくくって捕獲するように構成されたものであるが、このものにおいて、作動部材３の開口側端部３ａを回動自在に支持する支軸８の軸心位置Ｏは、くくり輪４が一対の作動部材３の外周に懸回された状態で、該くくり輪４の作動部材３反支軸側端部同士を連結する仮想線Ｌよりも上方に位置するように設定されている。
【００１８】
このように、本実施の形態にあっては、くくり輪４が一対の作動部材３の外周に懸回された状態で、作動部材３の開口側端部３ａを回動自在に支持する支軸８の軸心位置Ｏが、くくり輪４の作動部材３反支軸側端部同士を連結する仮想線Ｌよりも上方に位置するように設定されているため、くくり輪４を締め込む弾機５の付勢力が、作動部材３の反支軸側を下動させる力として作用することになって、作動部材３を反支軸側が最も下動した作動待機状態に保持することになる。そして、作動部材３の反支軸側を上動させるには、弾機５の支点超えが必要であるから、くくり罠１を捕獲現場にセットする作業中等に、作動部材３の反支軸側が不用意に上動してくくり輪４が締め込まれてしまうような不具合を確実に回避できて、くくり罠１のセット作業を効率良く行えることになる。
【００１９】
さらに、本実施の形態のくくり罠１には、作動部材３を反支軸側が上動する方向に付勢するばね１１が設けられており、該ばね１１の付勢力によって作動部材３の反支軸側上動の動作スピードを向上できることになるが、この場合に、ばね１１の付勢力は、くくり輪４が一対の作動部材３の外周に懸回された状態で、くくり輪４を締め込み側に付勢する弾機５が一対の作動部材３を反支軸側下動方向に付勢する付勢力よりも小さく設定されている。しかして、作動部材３を反支軸側上動方向に付勢するばね１１が設けられていても、くくり輪４を締め込み側に付勢する弾機５の付勢力によって、作動部材３を反支軸側が踏板２の上面に当接した作動待機状態に保持できることになる。
【００２０】
さらに、前記作動部材３を反支軸側が上動する方向に付勢するばね１１は、本実施の形態ではトーションばねが用いられていて、コイル部１１ａが作動部材３を回動自在に支持する支軸８に外嵌されるとともに、コイル部１１ａの両側の足部１１ｂ先端にはＬ字形状に折曲された係止部１１ｃが設けられており、一方の足部１１ｂ先端の係止部１１ｃは作動部材３に係止され、他方の足部１１ｂ先端の係止部１１ｃは支軸８を踏板２に取付けるための取付金具７に係止される構成になっている。これにより、必要に応じて、作動部材３を反支軸側が上動する方向に付勢するばね１１を簡単に着脱することができる。
【産業上の利用可能性】
【００２１】
本考案は、猪、鹿、キョン等の野生動物を捕獲するため用いられるくくり罠に利用することができる。
【符号の説明】
【００２２】
１  くくり罠
２  踏板
３  作動部材
３ａ  開口側端部
３ｂ  円弧状中央部
４  くくり輪
５  弾機
６  枠体
６ａ  受部
７  取付金具
８  支軸
１１  ばね
１１ａ  コイル部
１１ｂ  足部
１１ｃ  係止部
【図１】
0003233888.tif 000003
【図２】
0003233888.tif 000004
【図３】
0003233888.tif 000005
【図４】
0003233888.tif 000006
【図５】
0003233888.tif 000007
【図６】
0003233888.tif 000008
【図７】
0003233888.tif 000009